【事件の表示】
　平成　５年特許願第３０１６７５号「画像処理装置及び画像処理方法」拒絶査定不服審判事件〔平成　７年　６月１６日出願公開、特開平　７−１５４５５０〕について、次のとおり審決する。
【結　論】
　本件審判の請求は、成り立たない。
【理　由】
１．手続きの経緯・本願発明
　本願は、平成５年１２月１日付けの出願であって、その請求項１〜１２に係る発明は、平成１２年１１月９日付け、平成１６年３月４日付け、及び平成１６年７月２０日付けの手続補正によって補正された明細書及び図面の記載からみて、特許請求の範囲の請求項１〜１２に記載されたとおりのものと認められるところ、請求項１に係る発明（以下、「本願発明」という。）は、次のとおりのものである。
　「【請求項１】原稿を読み取る読取手段と、
　画像データを入力する読み取り手段と異なる入力手段と、
　複数ページの画像情報をページ番号情報とともに記憶する記憶手段と、
　記憶手段から読み出すページの順序を指定する指定手段と、
　前記記憶手段に記憶された、前記読み取り手段から読み取られた画像データと前記入力手段により入力された画像データから、それぞれのページ番号情報を基に、指定手段により指定された順序で検索読み出しを行う制御手段と、
を有することを特徴とする画像処理装置。」
　
２．引用刊行物
　原審の拒絶の理由で引用した特開平３−１９２９５９号公報（平成３年８月２２日出願公開。以下、「引用例１」という。）には、図面と共に次の各記載がある。
　
（ア）「本発明の目的は、原稿と表紙とを別領域に記憶させ送信するとき記憶領域から所定順序で画情報を取出して送信する（中略）ファクシミリ装置を提供することにある。
［課題を解決するための手段］
　本発明によるファクシミリ装置は、読取った原稿画面を記憶する原稿画面記憶領域と、原稿の宛先を含む宛先画面を記憶する宛先画面記憶領域と、画面送信の指示を受信したとき前記原稿画面記憶領域に記憶された画面情報を前記宛先画面記憶領域に記憶された画面情報の一枚分それぞれと共に一括して送信する画面送信制御部とを有する。」（第２頁第上右欄１７行〜同頁下左欄第８行）
　
（イ）「第２図は第１図における記録制御部の動作手順の一例を示すフローチャートである。第２図に第１図を併せ参照して説明する。まず、記録制御部２２が記録指示部２１から発信記録要求を受信（１２１）したとき、記録部３０に原稿画面記録領域３１のアドレスを与え画面読取部２３から受信する画情報を原稿画面情報として記録準備（１２２）させる。次いで記録制御部２２は画面読取部２３に読取りを指示するので、配設された原稿画面を画面読取部２３が読取って出力し、この出力情報が原稿画面記憶領域３１に記録されるという従来同様の手順（１２３）が実行される。
　記録制御部２２は複数宛先記録要求指示部２５から、例えばボタン操作により、複数宛先記録要求を受信（１２４）したとき、切替部２４に指示またはアドレス指示により宛先画面記憶領域３２を準備（１２５）する。次いで、記録制御部２２が画面読取部２３に駆動指示するので、画面読取部２３は設定された原稿を宛先を含む表紙として読取って出力し、この出力情報は宛先画面記憶領域３２に記録されるという手順（１２６）が実行される。この結果、第３図に示すように画面情報が記憶される。
　第３図は記憶部の一部領域に記憶される情報の一例を示すブロック図である。第３図によれば、原稿画面記憶領域３１には原稿１〜５が原稿ごとに記憶され、宛先画面記憶領域３２には表紙１〜３が表紙ごとに記憶される。
　次に第４図に第１図および第３図を併せ参照して第１図の画面送信手順について説明する。
　第４図は第１図の通信制御部および画面送信制御部の動作手順の一例を示すフローチャートである。
　まず、通信制御部１２は発信指示部１１から発信指示を受信（１０１）したとき、通信回線４０へ発呼信号を送信し、ダイヤル発信部１３からのダイヤル番号を送信することにより相手先ファクシミリ装置に接続する発呼・呼出手順（１０２）を実行する。次いで、通信制御部１２は接続先ファクシミリ装置と接続機器の確認手順（１０３）を実行し、確認を終了したとき画面送信指示を出力する。画面送信指示を受信した画面送信制御部１４は、アドレスを与えて画面送信部１５に指示し、原稿画面記憶領域３１が記憶する原稿５〜１の一式を通信制御部１２を介して通信回線４０へ送信（１０４）する。次いで画面送信制御部１４は宛先画面記憶領域３２の記録を調べ（１０５）、複数の宛先が記憶される（１０６）ときは最初の宛先画面を送信（１０７）し、次の宛先画面がある（１０８）ときは原稿画面記憶領域３１から再度原稿画面を取出してこの一式を送信（１０９）する。原稿画面の送信を終了した画面送信制御部１４は、宛先画面記憶領域３２から次の宛先画面を指定して画面送信部１５により通信回線４０へ送信（１１０）させ、手順は手順１０８へ戻る。手順１０８で次の宛先画面がないとき画面送信制御部１４は復旧手順（１１１）を実行する。
　すなわち、本発明によれば、第５図に示される送信原稿紙がそのまま記憶部３０に記憶され、図示される送信画面情報の形式で通信回線に送信される。」（（第３頁上左欄第３行〜同頁下右欄第３行）
　
　以上の記載から見て、引用例１には、次のような発明が記載されているものと認められる。
　「原稿と表紙が別々の記憶領域に記憶され、送信時に該記憶領域から所定の順序で原稿と表紙の画情報を取り出して送信するファクシミリであって、記録制御部部２２は、記録指示部２１から発信記録要求を受信すると、記憶部３０に原稿画面記憶領域３１のアドレスを与え、画面読取部２３から受信した画情報を記録する準備をし、次いで記録制御部２２は、画面読取部２３に読み取りを指示し、原稿読取部２３は、原稿を読み取って出力し、この出力情報は原稿画面記憶領域３１に記録され、つぎに、記録制御部２２は、複数宛先記録指示部２５から複数宛先記録要求を受信すると、切替部２４は、宛先画面記憶領域３２に宛先画面すなわち表紙を記憶する準備をし、記憶制御部２２が画面読取部２３を駆動すると、原稿読取部２３は宛先を含む複数の表紙を読み取って出力し、この出力情報は、宛先画面記憶領域３２に記録され、そして通信制御部１２は、発信指示部１１から発信指示を受信すると、画面送信制御部１４は、画面送信部１５にアドレスを与え、原稿画面記憶領域３１に記憶されている原稿の一式を通信制御部１２を介して通信回線４０へ送信し、次いで画面送信制御部１４は、宛先画面記憶領域３２の複数の宛先のうち最初の宛先画面を取り出して送信し、未だ宛先画面が残っていると、送信制御部１４は、原稿画面記憶領域３１から再び原稿画面の一式を取り出して送信するとともに宛先画面記憶領域３２から宛先画面を取り出して送信し、宛先画面が無くなるまで原稿と表紙を送信するファクシミリ装置。」
　
３．対比
　本願発明と引用例１に記載された発明とを対比すると、引用例１に記載された発明の「原稿画面情報」及び「宛先画面情報」は、それぞれ、本願発明の「読み取り手段から読み取られた画像データ」及び「入力された画像データ」に相当し、引用例１に記載された発明の「画面読取部２３」、「記憶部３０」、及び「原稿画面と宛先画面を読み出す画面送信制御部１４」は、それぞれ、本願発明の「読取手段」、「記憶手段」、及び「検索読み出しを行う制御手段」に相当し、また本願発明の実施例においては、画像処理装置はファクシミリ装置であるから、引用例１に記載された発明の「ファクシミリ装置」は、本願発明の「画像処理装置」に相当することは明らかである。
　　そうすると、本願発明と引用例１に記載された発明とは、
（一致点）
　「原稿を読み取る読取手段と、
　複数の画像情報を記憶する記憶手段と、
　前記記憶手段に記憶された、前記読み取り手段から読み取られた画像データと前記入力された画像データから、指定された順序で検索読み出しを行う制御手段と、
を有することを特徴とする画像処理装置。」
である点で一致し、次の点で相違する。
　
（相違点１）
　本願発明が、画像データを入力する読取手段とは異なる入力手段を有し、前記読取手段で読み取った画像データと前記入力手段により入力された画像データを、記憶手段に記憶するのに対し、引用例１に記載された発明は、読取手段と異なる画像入力手段を有しない点。
（相違点２）
　本願発明は、記憶手段が、複数ページの画像情報をページ番号情報とともに記憶するものであり、前記記憶手段から読み出すページの順序が、指定手段により指定されると、制御手段が、前記記憶手段に記憶された画像データから、ページ番号情報を基に、指定された順序で検索読み出しをするのに対し、引用例１に記載された発明は、記憶部３０が、原稿画面と宛先画面を記憶するものであり、記憶部３０から読み出す画面情報の順序が指定されると、画面送信制御部１４が、記憶部３０の原稿画面記憶領域３１に記憶された原稿画面と記憶部３０の宛先画面記憶領域３２に記憶された宛先画面を所定の順序で読み出す点。
　すなわち、本願発明と引用例１に記載された発明とは、画像データを記憶する画像メモリと該メモリをアクセスするアクセス手段の構成が相違する点。
　
４．当審の判断
（相違点１について）
　上記相違点１について判断するに、一般に画像処理装置は、入力手段を幾つか有し、そのうちの１つに信号線又は通信回線等を接続し、他のデータベースに格納されている画像情報又は他のコンピュータで作成された画像情報をこの入力手段を介し画像メモリに記憶することは、当業者が周知している技術事項である。然るに、原稿読取装置で読み取った画像データの他に、他のパーソナルコンピュータで作成された画像データを入力し記憶装置に記憶することは、例えば、特開昭６２−２１７７６２号公報にその旨が記載されている（図２に示される読取部１１、パーソナルコンピュータ２０、一時記憶装置１２と１３、及び関連説明を参照。）。
　したがって、引用例１に記載された発明に原稿を入力する読取手段とは異なる入力手段を設け、読取手段で読み取った画像データと入力手段により入力された画像データを記憶手段に記憶するようにすることは、当業者が適宜なし得ることである。
　
（相違点２について）
　上記相違点２について判断するに、頁単位で構成される画像情報とページ番号情報とを対応づけて記憶管理する画像メモリを用い、任意の順序で設定されるページ番号情報に基づいて画像メモリをアクセスすることにより、画像の追加、削除、差替え等の編集を頁単位で自在に行うことは、例えば、特開平２−８７７６７号公報、特開平５−２２５３０４号公報にその旨の記載があるように当業者には周知な技術事項である。
　したがって、引用例１に記載された発明に前記周知技術事項を適用して本願発明の如く、ページ番号情報を基に指定された順序で画像情報を読み出すようにすることは、当業者が適宜なし得ることである。
　
５．むすび
　以上のとおり、本願発明は、引用例１に記載された発明と周知技術とに基いて当業者が容易に発明をすることができたものであるから、特許法第２９条第２項の規定により特許を受けることができない。
　よって、結論のとおり審決する。